(57)【特許請求の範囲】
【請求項１】
１００μｍ〜１ｍｍの厚さを備えるメタクリレートベースの導光体であって、前記導光体の最も薄い箇所と、最も厚い箇所との間の差は、最大で５μｍである、導光体の製造方法であって、
該方法は、引き続き行われる平滑化を伴う押出し法であり、
使用される装置は少なくとも以下の構成部分、すなわち
押出し機と、
溶融物ポンプと、
溶融物ろ過部と、
スタティック式の混合エレメントと、
フラットシートノズルと、
平滑化装置と、
巻取り装置と
を備え、
前記フラットシートノズルは、ノズルリップの隙間を調節するための調節エレメントを備えたノズルリップを有し、前記調節エレメントは、互いに対して１１ｍｍ〜１５ｍｍの間隔を有し、
ノズルボディは、平滑化ローラの形状に適合された外側幾何学形状を有し、
溶融物流出縁部から、平滑化ローラ同士の最も小さな距離である平滑化ギャップへの間隔は８０ｍｍ以下であり、前記押出し法により製造され、構造付与された、メタクリレートベースの導光体は、少なくとも９５質量％のＰＭＭＡから成っており、衝撃強度改質剤を含まないことを特徴とする、メタクリレートベースの導光体を製造する方法。
【請求項２】
前記フラットシートノズルを、前記平滑化装置に対してレーザを用いて位置調整し、前記平滑化ローラに対する前記ノズルの平行性の偏差は、１つのノズル外面の両端部において測定して、最大で３ｍｍの偏差を有する、請求項１記載の方法。
【請求項３】
前記導光体の最も薄い箇所と、最も厚い箇所との間の厚さの偏差は、最大で４％、有利には最大で３％である、請求項１または２記載の方法。
【請求項４】
ノズルとローラとはクロム表面を有し、該クロム表面は、０．０８μｍよりも小さな粗さＲａを有している、請求項１から３までのいずれか１項記載の方法。
【請求項５】
少なくとも１つの光源と、
少なくとも１つの導光体とを有する照明ユニットであって、
前記導光体は、少なくとも９５質量％のＰＭＭＡから成っており、衝撃強度改質剤を含まず、１００μｍ〜１ｍｍまでの厚さを有し、前記導光体の、最も薄い箇所と最も厚い箇所との間の差は、最大で５μｍであり、光学的な減衰は、０．５ｍｍの厚さのシートにおいて７３０ｎｍの波長で測定した場合に、１００００ｄｂ／ｋｍよりも小さく、有利には９０００ｄｂ／ｋｍよりも小さく、特に有利には８０００ｄｂ／ｋｍよりも小さいことを特徴とする、照明ユニット。
【請求項６】
前記導光体は、１２５μｍ〜５００μｍの厚さを有し、該導光体の最も薄い箇所と、最も厚い箇所との間の厚さの偏差は最大で３％であり、導光体の黄色度は、τ［Ｄ６５／１０°］で測定した場合に、１よりも小さく、有利には０．３よりも小さい、請求項５記載の照明ユニット。
【請求項７】
前記導光体は、少なくとも１つのＰＭＭＡ層と、少なくとも１つのＰＶＤＦ層とを有する共押出し製品である、請求項５または６記載の照明ユニット。
【請求項８】
前記導光体の表面の一部は、構造付与部を有している、請求項５から７までのいずれか１項記載の照明ユニット。
【請求項９】
前記光源は、１つまたは複数の発光ダイオード（ＬＥＤ）である、請求項５から８までのいずれか１項記載の照明ユニット。
【請求項１０】
バックライトユニット（ＢＬＵ）、エッジリットバックライトユニットまたはライトガイドパネル（ＬＧＰ）としての請求項５から９までのいずれか１項記載の照明ユニットの使用。
【発明の詳細な説明】
【技術分野】
【０００１】
発明の分野
本発明は、導光体の製造方法と、たとえば液晶ディスプレイまたはモニタ用の照明ユニットにおける導光体の使用とに関する。
【０００２】
特に本発明は、最高で１ｍｍの厚さを有し、少なくとも８０質量％のポリメチルメタクリレートを有し、かつ光散乱性の成分を含まない導光体を製造する方法に関する。
【０００３】
従来技術
導光体は、特に、たとえば液晶ディスプレイ（ＬＣＤ）のような種々異なる電子的な対象物を面状に照明するために役立つ。通常、光は、１つの縁部を介して入射され、伝搬方向に対して垂直に出射される。このような導光体は、欧州特許第８０００３６号明細書に記載されている。光の出射は、特に、プレートの表面に設けられた構造付与部により行われる。
【０００４】
さらに、欧州特許第６５６５４８号明細書から公知の導光体では、ポリマ粒子が散乱体として使用されている。この導光体において問題となるのは、その耐候性である。特に、強度のＵＶ照射はポリマ粒子を分解し、これにより、ＵＶ照射は黄変（Gelbstich）をもたらすおそれがある。さらにこの黄変は、導光体としての使用にとって極めて臨界的である。なぜならば不均一な色印象が生じるからである。
【０００５】
さらに、欧州特許第１０２２１２９号明細書から公知の導光体は、ポリメチルメタクリレートから成る、粒子を含有しない導光性の層を有している。この導光性の層には、拡散性に形成された層が被着されている。１０〜１５００μｍの範囲の厚さを有するこの拡散性に形成された層は、硫酸バリウム粒子を含んでいる。この原理により、光は、ＰＭＭＡ層を介してガイドされ、この場合、拡散層によって出射（出力）が行われる。しかし、光出射はほとんど制御することができない。なぜならば、拡散性に形成された層への境界層を通過した光だけが伝搬方向に対して垂直に散乱されるからである。したがってこれは、導光体層内での散乱（Stoerung）ではなく、拡散する後方反射である。さらに、実施例で証明されているように、光強度の減少は極めて大きい。
【０００６】
さらに、ドイツ連邦共和国特許出願公開第１０２２２２５０号明細書には導光体が記載されている。この導光体は、上述のプレートに比べて改善された性能を示す。しかし、上述の導光体と同様に、この導光体の厚さは少なくとも２ｍｍである。しかし、電子機器の一層の小型化のために、特に審美的な理由からも、導光体のできるだけ小さな厚さが望まれている。上述の導光体のプレート厚さを減少させることは、入射された光の伝搬方向に関連した輝度の極めて強い減少をもたらす。これにより、しばしば許容不要となる極めて不均一な照明となる。
【０００７】
課題
公知先行技術を鑑みて、本発明の課題は、比較的大きな面積の極めて均一な照明を得ることができる、より薄い導光体の製造方法を提供することである。
【０００８】
さらに本発明の課題は、導光体が、長時間の使用時または気候にさらされた後に、特に良好な黄色度および半値幅（FWHM）を有していることにある。
【０００９】
さらに、本発明の課題は、高いエネルギ効率と、高い照明強度と、高い信頼性とを有する導光体を含む照明ユニットを提供することである。
【００１０】
本発明の別の課題は、簡単にサイズおよび形状を要求に適合させることができる導光体の、簡単かつ廉価な製造方法を提供することにある。
【００１１】
解決手段
上記課題と、冒頭で議論された脈絡から容易に推測可能であるか、または理解可能である、明言されていない別の課題は、メタクリレートベースの導光体を製造する新規の方法により解決される。本発明によるこの導光体は、１００μｍ〜１ｍｍの間の厚さを有している。さらに、この方法は、引き続き行われる平滑化を伴う押出し法であることを特徴とする。このために本発明により使用される装置は、少なくとも以下の構成部分、すなわち、押出し装置、ノズルリップを有するフラットシートノズルおよび特に２つの平滑化ローラから成る平滑化装置を有している。特に、本発明において使用される装置は、さらに以下の任意の構成部分、すなわち、溶融物ポンプ、溶融物ろ過装置、スタティック式の混合エレメント、および／または巻取り装置を有していてよい。
【００１２】
特に、本発明による方法において使用される装置は、フラットシートノズルが、ノズルリップ幅を調節するための調節エレメントを有するノズルリップを備え、調節エレメントは、互いに対して５ｍｍ〜２０ｍｍ、有利には１１ｍｍ〜１５ｍｍの間隔を有していることにより優れている。ノズルリップ同士の隙間は、ノズルリップの全幅にわたって、調節エレメントにより精密調節され得る。つまり、いわゆるフレックスリップ（Flexlippe）またはフレックスノズルリップとも云える。
【００１３】
本発明による方法で使用されるノズルボディは、平滑化ローラの形状に適合された外側幾何学形状を有している（図１）。これは、ノズルボディの、ノズルリップに向かう三角形または台形の合流部であってよい。付加的には、ノズルボディの側面は、該側面が平滑化ローラの形状と相補的な形状を占めるように丸み付けされていてよい。このことは、たとえば図２に示されているように、両第１の平滑化ローラのうちの一方に対してのみ非対称的に行われてよい。
【００１４】
ノズルボディの形状により、平滑化ギャップに対する溶融物流出縁部の間隔を１００ｍｍよりも小さく、有利には８０ｍｍよりも小さく、特に有利な態様では６０ｍｍよりも小さく調節することが可能となる。意想外にも、溶融物流出縁部と、平滑化ギャップとの間の特に小さな間隔により、特に表面品質に関して特別に良好なシート品質が達成され得ることが判った。平滑化ギャップに対する溶融物流出縁部の間隔は、本発明の枠内では、溶融物流出ギャップと、平滑化ローラ同士の間の中心にある点との間の間隔（図２の符号６）であると定義される。この中心の点は、両平滑化ローラに対して最も小さな距離（図２の符号７）を有している。
【００１５】
特に本発明は、フラットシートノズルが、平滑化装置に対してレーザにより位置調整される方法に関する。したがって、平滑化ローラに対するノズルの平行性の偏差が、１つのノズル外面の両端部において測定して、３ｍｍの最大偏差、有利には１ｍｍの最大偏差を有していることが留意される。この場合、ノズル外面とは、両平滑化ローラに対してそれぞれ平行に延びるフラットシートノズルの両側面である。
【００１６】
この方法は、特に、導光体の最も薄い箇所と最も厚い箇所との間の差が、最大で８μｍ、有利には最大で５μｍ、特に有利には最大で４μｍであることにより優れている。フィルム厚さのこの小さな偏差は、意想外にも本発明による方法により可能にされ、特に導光体、導光体シートとしての使用において特別な利点を有している。このような均一なシートは、特に小さな光出射および特に良好な導光をもたらす。
【００１７】
特に、本発明により製造された導光体は、導光体の厚さ偏差が最大４％、有利には最大３％であることにより優れている。厚さ偏差は、導光体の最も薄い箇所を起点として決定される。したがって、３％の偏差とは、導光体の最も厚い箇所の厚さが、最も薄い箇所の厚さよりも最大で３％大きいことを意味している。本発明による方法により、予測可能ではなかった形式で、薄い導光体を提供することが達成され、この場合、この導光体では、比較的大きな面積の極めて均質な照度が得られている。
【００１８】
さらに、本発明による方法により製造された導光体は、天候の影響、特にＵＶ光線に対して特に高い耐性を有している。
【００１９】
さらに、導光体は、全面にわたって、光出射の均質な色品質を有している。したがって、特に色堅牢な光が得られる。特に、光源から距離が増しても、黄色の印象が生じない。さらに、導光体の輝度は、種々異なる要求に適合され得る。
【００２０】
意想外にも、本発明により製造された導光体により、高いエネルギ効率、高い照明強度および高い信頼性を有する照明ユニットを提供することが達成された。
【００２１】
導光体を製造する本発明による方法は、さらに特に簡単かつ廉価に実施することができる。
【００２２】
本発明により使用される装置の詳細な構成
ポリマを押出成形してシートを形成することは広く知られており、たとえば「Kunststoffextrusionstechnik II」Hanser出版、１９８６年、第１２５頁〜に記載されている。当該文献には、個別の装置構成部材の詳しい態様も説明されている。
【００２３】
本発明による方法では、高温の溶融物が、押出し機のノズルから２つの平滑化ローラの間のギャップに押し出される。溶融物の最適な温度は、たとえば混合物の組成に関連しており、したがって、広い範囲で変動することができる。ノズル流入部までのＰＭＭＡ形成材料の有利な温度は、１５０℃〜３００℃の範囲にあり、特に有利には１８０℃〜２７０℃の範囲にあり、全く極めて好適には、２００℃〜２２０℃の範囲にある。平滑化ローラの温度は、有利には１５０℃以下であり、有利には６０℃〜１４０℃である。
【００２４】
得られたシートが、高い表面品質を有するように、ノズルの温度は有利にはノズル流入部の手前の混合物の温度よりも高く選択されている。有利には、ノズル温度は１０℃、特に有利には２０℃、極めて特に有利には３０℃だけ、ノズル流入部の手前の混合物の温度よりも高く調節されている。したがって、ノズルの好適な温度は、１６０℃〜３３０℃、特に有利には１９０℃〜３００℃の範囲にある。
【００２５】
本発明により使用される平滑化装置は、２つまたは３つの平滑化ローラから成っている。平滑化ローラは、業界では広く公知であり、この場合、高い平滑性を得るために、研磨されたローラが使用される。しかし、本発明による方法では、別のローラを平滑化ローラとして使用することもできる。両方の第１の平滑化ローラ間のギャップにより、フィルムが形成され、このフィルムは同時に冷却することによってシートとなる。図１には、３つの平滑化ローラを備えた実施の形態が概略的に描かれている。
【００２６】
意想外にも、導光体の特に良好な表面品質は、ノズルおよびローラがクロム表面を有していることによって、かつ特にこのクロム表面が、０．１０μｍよりも小さな、好適には０．０８μｍのよりも小さな粗さＲａ（算術平均粗さ）（ＤＩＮ−４７６８）を有していることにより保証されることが判った。
【００２７】
溶融した混合物をノズル内に押圧する圧力は、たとえばスクリュの速度を介して制御され得る。圧力は、概して４０〜１５０ｂａｒの範囲にあるが、本発明による方法は、この圧力範囲に制限されない。相応して、本発明によりシートを得る速度は、概して５ｍ／ｍｉｎよりも大きく、特に１０ｍ／ｍｉｎよりも大きい。
【００２８】
均一な溶融物圧送を確実にするために、溶融物ポンプがフラットシートノズルの手前に組み込まれていてもよい。
【００２９】
得られたシートを十分に汚染から保護するために、溶融物のノズル内への流入部の手前に選択的にフィルタが配置される。フィルタのメッシュ幅は、概して使用される出発材料に調整されていて、相応して広い範囲で変更することができる。概して、メッシュ幅は、３００μｍ〜２０μｍの範囲にある。種々異なるメッシュ幅を有する複数の篩を備えたフィルタがノズル流入部の手前に配置されてもよい。このフィルタは、市場で入手可能である。高い品質を有するシートを得るために、さらに好適には特に純度の高い原料が使用され得る。
【００３０】
選択的に、さらにフラットシートノズルの手前にスタティック式の混合エレメントが組み込まれていてよい。この混合エレメントを介して、顔料、安定剤または添加剤のような成分がポリマ溶融物中に混合されるか、またはたとえば第２の押出し機からの溶融物の形態の５質量％の第２のポリマがＰＭＭＡに混合され得る。
【００３１】
本発明により使用されるポリマ
本発明により製造される、メタクリレートベースの導光体を製造するために使用される成形材料は、少なくとも８０質量％、好適には少なくとも９０質量％、特に好適には少なくとも９５質量％のポリメチルメタクリレート（単にＰＭＭＡともいう）から成っており、衝撃強度改質剤を含んでいない成形材料である。このポリマは概して、メチルメタクリレートを含む混合物のラジカル重合により得られる。概して、この混合物は、モノマの重量に関して少なくとも８０質量％、好適には９０質量％、特に好適には９５質量％のメチルメタクリレートを含む。主にポリメチルメタクリレートから成る特別な導光体は、特に高い品質を有している。
【００３２】
さらに、この混合物は、別の（メタ）アクリレートを含有していてよい。（メタ）アクリレートは、メチルメタクリレートと共重合可能である。「（メタ）アクリレート」という表現は、メタクリレートおよびアクリレートならびにメタクリレートおよびアクリレートから成る混合物を含む。
【００３３】
上述の（メタ）アクリレートの他に、重合されるべき組成物が、別の不飽和モノマを有していてよい。この不飽和モノマは、メチルメタクリレートおよび上述の（メタ）アクリレートと共重合可能である。不飽和モノマには、特に、１−アルケン、アクリロニトリル、酢酸ビニル、スチレン、置換スチレン、ビニルエーテルまたはジビニルベンゼンがある。ここに挙げた全てのモノマは、有利には高い純度で使用される。
【００３４】
本発明により使用されるべき単独重合体（ホモポリマー）および／または共重合体（コポリマー）の重量平均分子量（重量平均の分子重量）Ｍｗは、広い範囲で変動してよく、分子量は、通常、使用目的および成形材料の加工方法に適合される。しかし、重量平均分子量は、２００００〜１００００００ｇ／ｍｏｌの範囲、好適には５００００〜５０００００ｇ／ｍｏｌの範囲、特に好適には８００００〜３０００００ｇ／ｍｏｌの範囲であるが、この範囲に制限されるべきではない。重量平均分子量は、ゲル濾過クロマトグラフィ（ＧＰＣ）によりポリスチロール基準に対して決定される。
【００３５】
導光体の製造のために、たとえば分子量またはモノマ組成において互いに異なる種々の（メタ）アクリレートが使用され得る。このような特に好適な成形材料は、Evonik Roehm GmbH社の商品名「ＰＬＥＸＩＧＬＡＳ（登録商標）」で市場において入手可能である。
【００３６】
成形材料は、通常の添加物質を含んでいる。添加物質には、特に、帯電防止剤、酸化防止剤、光安定剤および有機リン剤、耐候剤、軟化剤がある。しかし、添加物質の量は、使用目的に応じて制限される。好適には、本発明による導光体は、最高で５質量％、特に有利には最高で２質量％の添加剤を含み、ほぼ添加剤を含んでいない導光体は、意想外にも、著しい出力性能を示した。
【００３７】
特別な実施の形態では、導光体は、複数層の、有利には２層よりも多いラミネートとして設けられている。この場合、１つの層は、本発明による組成を有する既に述べたＰＭＭＡ導光体である。特別な実施の形態では、導光体は、少なくとも１つのＰＭＭＡ層と、少なくとも１つのＰＶＤＦ層とを有する共押出製品である。組成物のための既に述べた量の内訳は、この場合、単にＰＭＭＡ層にのみ関連する。
【００３８】
導光体
実施される方法の他にも、本発明による方法により製造された導光体と、該導光体により製造された照明ユニットとが本発明の対象である。本発明によるこのような照明ユニットは、少なくとも１つの光源と、少なくとも１つの導光体とを有している。導光体は、少なくとも８０質量％、有利には少なくとも９０質量％、特に有利には少なくとも９５質量％のＰＭＭＡから成っていて、衝撃強度改質剤を含んでいない。さらに、導光体は、１００μｍ〜１ｍｍの間の厚さ、有利には１２５μｍ〜５００μｍ、特に有利には１００μｍ〜３００μｍの範囲の厚さを有している。この場合、導光体の最も薄い箇所と最も厚い箇所との差は、最大で８μｍ、有利には最大で５μｍ、特に有利には最大で４μｍであり、下記で詳しく説明する測定方法に応じて、０．５ｍｍの厚さのシートにおいて７３０ｎｍの波長で測定した光学的な減衰は、１００００ｄｂ／ｋｍよりも小さく、有利には９０００ｄｂ／ｋｍよりも小さく、特に有利は８０００ｄｂ／ｋｍよりも小さい。この値は、相応して他の厚さに外挿される。この場合、厚さは、光伝搬方向に対して垂直に測定された導光体の最小の寸法の平均値に関する。厚さは、Ｕ字形マイクロメータまたは類似の公知の装置により測定され得る。
【００３９】
照明ユニットは、有利には、導光体の厚さの偏差が、最大３％であり、τ［Ｄ６５／１０°］で測定した導光体の黄色値（ＤＩＮ  ６１６７により計算；ＤＩＮ  ５０３３により測定）は、１よりも小さく、有利には０．７５よりも小さく、特に有利には０．５よりも小さく、極めて有利には０．３よりも小さい。
【００４０】
光源は、有利には１つまたは複数の発光ダイオード（ＬＥＤ）である。発光ダイオードは、特に有利には導光体の縁部に位置決めされている。特に、本発明による導光体は、少なくとも１つの光導入面と、少なくとも１つの光出射面とを有している。この場合、光導入面は、有利には導光体の、１つまたは複数の外側の縁部である。択一的な態様では、光はプリズム体を介して大面積で入射され得る。
【００４１】
光導入面の照明のために、あらゆる公知の光源が利用され得る。特別な利点は、１つまたは複数の発光ダイオードにより達成され得る。これらの発光ダイオードは、たとえばフレームに、導光体の、縁部もしくは縁部面または端面において、間接的に照明されるべき面の側方に配置されていてよい。
【００４２】
この場合、光源の配置に応じて、４つの全ての縁部面を介して光が入射され得る。このことは特に極めて大きな導光体の場合に必要とされ得る。比較的小さな導光体では、概して１つまたは２つの光源で充分である。
【００４３】
光導入面は、光をボディ内に取り込むことができるので、導光層は、導入された光を全体的な光出射面にわたって分配することができる。本明細書において「光出射面」という用語は、光を放射することに適した導光体の面を指している。光の出射は、有利には導光体の表面における構造付与部により得られる。相応して、有利な導光体の、光出射面に対して平行に形成された表面は、構造付与部を備える領域と、構造付与部を備えていない領域とを有している。構造付与部を備えていない領域を介しては、できるだけ光は放射されない。したがって、有利な導光体は、表面の極めて良好に定義された領域を介して意図的に、光導入面を介して入射された光を放出する。相応して、光伝搬方向に対して垂直方向に形成された表面は、光出射面の他に、入射された光の小さな割合しか出射されない面を有している。小さな割合とは、表面のこの領域における輝度が、光出射面で測定された最大の輝度の最大で２０％、特に有利には最大で１０％であることを意味している。この場合、小さな輝度を備える表面は、光出射面として数えられない。
【００４４】
この場合、光入射面に対する光出射面の割合は、概して少なくとも１、特に少なくとも４、有利には少なくとも２０、特に有利には少なくとも８０である。本発明の有利な態様によれば、光出射面は、光入射面に対して垂直に位置している。
【００４５】
本発明の有利な態様によれば、導光体は、板状の形態を有している。この場合、導光体の３つの寸法は、種々異なるサイズを有していてよい。
【００４６】
この場合、最も小さな寸法は、板の厚さである。最も大きな寸法は長さとして規定されるので、第３の次元は幅である。これによって、本実施の形態の光出射面は、長さ×幅から成る積に一致する表面であると規定される。長さ×厚さまたは幅×厚さから成る積により形成される表面としてそれぞれ規定される板の縁部面は、概して、光入射面として機能する。有利には、光入射面として機能する縁部面は研磨される。
【００４７】
光の出射は、光出射面の構造付与部の密度もしくはその粗さに依存する。構造付与部が密であるほど、光導体からの光の出射率は高くなる。
【００４８】
有利には、このような導光体は、２０ｍｍ〜３０００ｍｍの範囲、有利には３０ｍｍ〜２０００ｍｍの範囲、特に有利には５０ｍｍ〜１００ｍｍの範囲の長さを有している。
【００４９】
この特別な実施の形態の幅は、概して、１０ｍｍ〜３０００ｍｍの範囲、有利には２０ｍｍ〜２０００ｍｍ、特に有利には５０ｍｍ〜８０ｍｍの範囲にある。
【００５０】
特に、本発明による照明ユニットは、導光体の表面の一部が、構造付与部を有し、導光体の、構造体化された、もしくは構造付与された表面と、導光体の構造付与されていない表面との間でコントラストが設けられていることにより優れている。
【００５１】
構造付与部は、シートの製造後に、たとえば圧力または別の機械的な作用により得られてよい。さらに、構造付与部は、シートの製造時に、構造付与部のネガ形状を有するローラが使用されることにより得ることができる。
【００５２】
本発明に関して、構造付与部の形状は臨界的ではない。重要なのは、光出射面が、光を出射することができる散乱箇所（Stoerstelle）を有していることである。したがって、たとえば点または切欠きが加工され得る。さらに、光出射面は、粗面加工され得る。通常、構造付与部は、０．５μｍ〜１００μｍの範囲の深さ、有利には２μｍ〜２０μｍの範囲の深さを有している。
【００５３】
既に述べたように、光伝搬方向に対して垂直に形成された表面は、構造付与部を有しない領域を含んでいる。小さな光出射しか行われないか、有利には光出射が行われないことが望ましい表面の領域は、有利には、０．１０μｍよりも小さな、有利には０．０８μｍよりも小さな粗さＲａを有している。
【００５４】
構造付与部の密度は、全表面にわたって一定であるように選択され得る。それにもかかわらず本発明により、まさに均一な輝度が達成される。
【００５５】
さらに、構造付与部の密度を、光源に対する間隔に応じて高めることも可能である。これによって、均一な輝度を得ることができる。しかし、従来の導光体と比較して、密度変化を著しく小さく選択することができる。なぜならば本発明による導光体自体が、均一な輝度分布を有しているからである。
【００５６】
本発明による照明ユニットは、特に有利には、バックライトユニット（ＢＬＵ）、エッジリットバックライトユニットまたはライトガイドパネル（ＬＧＰ）として使用される。
【００５７】
導光体フィルムの光学的な減衰を測定する方法
測定は、積分球ＤＲＡ２５００を備えるＶａｒｉａｎ  Ｃａｒｙ  ５０００において行われる。測定は、０．５ｍｍの厚さ、１５ｍｍの幅および９７０ｍｍまでの長さを有するシートストリップにおいて行う。測定プロセスのためには、分光測光器の測定ビームが、シート試料の端面に導入される。この端面とは反対の側に位置する端部において、光学的に減衰された光が積分球に侵入し、検出器により測定される。利用可能な測定信号を得るためには、さらに、シート端面の極めて小さな面（たとえば１５ｍｍ*０．５ｍｍのシート厚さ）内への光の入射が、測定ビームの最も強い箇所に移動されなければならない。ビームコースのこの必須の変更は、従来のベースラインの収容を阻止する。基準ビームに対して、単に相対的な強度だけが測定され、この強度は、シートを通った伝搬と入射損失とから構成される。種々異なる長さのシートストリップの測定により、入射損失および出射損失が一定に保たれている場合には、この入射損失および出射損失は補償され得る。測定は、まず長いほうのシートストリップ（９７０ｍｍ）を測定し、次いでシートストリップを短くして５３０ｍｍとし、改めて測定されるように行われる。結果として、長さの差と求められた強度とを考慮した光学的な減衰は、以下のように計算される。
【数１】
0005930326.tif 000002
ここで、
Ｌ：光学的な減衰
ｌ：短い区間と長い区間との長さの差
Ｉ０：短い区間にわたる相対強度
Ｉ：長い区間にわたる相対強度
測定値の決定は、三重反復測定および平均化計算により行われる。
【図面の簡単な説明】
【００５８】
【図１】３つの平滑化ローラと、片側に適合されたノズルリップを有する実施の形態である。
【図２】平滑化ローラに対するノズルリップの間隔を明示する図である。
【符号の説明】
【００５９】
１  スタティック式の混合装置
２  フラットシートノズル
３  ノズルリップ（フレックスリップ）
４  ノズルボディの、片側で適合された外側幾何学形状
５  ３つ（図１）または２つ（図２）の平滑化ローラから成る平滑化装置
６  溶融物流出縁部と、平滑化ローラの間の中心点との間の間隔
７  両平滑化ローラの間の最小の距離
【図１】
0005930326.tif 000003
【図２】
0005930326.tif 000004